(57)【要約】【課題】ＬＢＰや複写機に用いられる電源装置に関するものであり、整流回路の出力電圧と逆極性の電荷を有する負荷が接続されたときに、電源装置の起動性が低下するのを防止するものである。【解決手段】整流回路３の出力電圧と逆極性の電荷を有する負荷が接続される電源装置１であって、昇圧トランス２と、昇圧トランス２のインダクタンスを利用して自励発振する発振回路と、昇圧トランス２で昇圧された信号を直流に変換して負荷に出力する整流回路３とを備え、整流回路の出力側の両端にダイオード１０を接続した構成とし、起動性の低下を防ぐ。【選択図】図１
2005184881.tif 000002
【特許請求の範囲】
【請求項１】
整流回路の出力電圧と逆極性の電荷を有する負荷が接続される電源装置であって、昇圧トランスと、前記昇圧トランスのインダクタンスを利用して自励発振する発振回路と、前記昇圧トランスで昇圧された信号を直流に変換して前記負荷に出力する整流回路とを備え、前記整流回路の出力側の両端にダイオードを接続したことを特徴とする電源装置。
【請求項２】
前記整流回路がツェナーダイオードを介して、前記ダイオードに接続される請求項１の電源装置。
【請求項３】
前記整流回路を多倍圧整流回路としたことを特徴とする請求項１の電源装置。
【発明の詳細な説明】
【技術分野】
【０００１】
本発明は、特にＬＢＰや複写機に用いられる電源装置に関するものである。
【背景技術】
【０００２】
従来、この種の電源装置は、図４に示されるような構成で使用されていた。
【０００３】
図４において、１は電源装置、７は被帯電体、６は電極であり、電源装置１の出力１ｃから、電極６を介して被帯電体７に電荷を供給するように接続されている。
【０００４】
また、電源装置１の入力１ａ，１ｂには、電源装置１に電力を供給する直流電源１５とその直流電源１５からの供給を切り入りするスイッチ１４が設けられている。
【０００５】
次に電源装置１の内部構成を説明する。２は昇圧トランス、４は自励発振回路であり、自励発振回路４は、直流電源１５からの電力と昇圧トランス２のインダクタンスを利用して、自励発振をするようになっている。また、昇圧トランス２は、自励発振で生じた発振電圧を昇圧して２次巻き線に出力する。３は整流回路であり、昇圧トランス２の２次巻き線に出力された交流電圧を直流に変換して、電源装置１の出力端子１ｃ，１ｄに出力する。５はツェナーダイオードで整流回路３と電源装置１の出力端子１ｄとの間に設けられている。
【０００６】
ツェナーダイオード５の極性は、電源装置１の出力電流が順方向電流となるように接続されている。
【０００７】
なお、この出願の発明に関する先行技術文献情報としては、例えば特許文献１、２が知られている。
【特許文献１】特開平６−２３２０８７号公報
【特許文献２】特開平８−１１５１３２号公報
【発明の開示】
【発明が解決しようとする課題】
【０００８】
しかしながら、上記従来の構成では、被帯電体７に電源装置１の出力極性と逆であり、かつツェナーダイオード５のツェナー電圧以上の電圧が帯電していると、整流ダイオード８を通じて放電電流が流れることになる。電源装置１への電力供給をスイッチ１４により切断されている時に、上記放電電流が流れると整流回路３の整流ダイオード８が通電状態となり、擬似的に昇圧トランス２の２次巻き線が整流コンデンサ９で短絡される状態になる。このことは、昇圧トランス２のインダクタンスを利用している自励発振回路４の発振を困難にし、電源装置１の起動性を低下させるため、被帯電体７の帯電電圧に合わせてツェナーダイオード５のツェナー電圧を上げる必要があり、高価な高圧のツェナーダイオードを使用する必要があった。また、絶縁スペースも広く必要であり小型化の妨げになっていた。さらに、ツェナーダイオード５に発生する電圧は、電源装置１の出力の損失となるため、電源装置１の効率を低下させる要因にもなっていた。
【０００９】
本発明は、上記従来の課題を解決するものであり、高価なツェナーダイオードを使用せずに起動性の高い電源装置を提供することを目的とする。
【課題を解決するための手段】
【００１０】
上記目的を達成するために、本発明は以下の構成を有する。
【００１１】
本発明の請求項１に記載の発明は、特に前記整流回路の出力側の両端にダイオードを接続した構成を有しており、整流回路の出力電圧と逆極性の電荷を有する負荷が接続されても、電源装置に高い起動性が得られるものである。
【００１２】
本発明の請求項２に記載の発明は、特に請求項１の構成において、整流回路と整流回路の両端に接続されたダイオードの接続点に、ツェナーダイオードを介する構成を有しており、整流回路の出力電圧と逆極性の電荷を有する負荷が接続されても、電源装置に高い起動性が得られるものである。
【００１３】
本発明の請求項３に記載の発明は、特に請求項１の構成において、整流回路を多倍圧整流回路とした構成を有しており、整流回路の出力電圧と逆極性の電荷を有する負荷が接続されても、電源装置に高い起動性が得られるものである。
【発明の効果】
【００１４】
本発明にかかる電源装置は、整流回路の出力電圧と逆極性の電荷を有する負荷が接続されても、電源装置の起動性の低下を防げる効果を有し、ＬＢＰや複写機に用いられる電源装置に有用である。
【発明を実施するための最良の形態】
【００１５】
（実施の形態１）
以下実施の形態１を用いて、本発明の特に請求項１に記載の発明について、説明する。
【００１６】
図１は、本発明の請求項１における、ＬＢＰなど電子写真装置に用いる電源装置の使用例である。
【００１７】
図１において、１は電源装置、７は被帯電体、６は電極であり、電源装置１の出力１ｃから、電極６を介して被帯電体７に電荷を供給するように接続されている。
【００１８】
また、電源装置１の入力１ａ，１ｂには、電源装置１に電力を供給する直流電源１５とその直流電源１５から電源装置へ供給を切り入りするスイッチ１４が設けられている。
【００１９】
次に電源装置１の内部構成を説明する。２は昇圧トランス、４は自励発振回路であり、自励発振回路４は、直流電源１５からの電力と昇圧トランス２のインダクタンスを利用して、自励発振をするようになっている。また、昇圧トランス２は、自励発振で生じた発振電圧を昇圧して２次巻き線に出力する。３は整流回路であり、昇圧トランス２の２次巻き線に出力された交流電圧を直流に変換して、電源装置１の出力端子１ｃ，１ｄに出力する。又、１０はダイオードであり、上記整流回路３の出力側の両端に接続されている。
【００２０】
整流回路３は、整流ダイオード８と整流コンデンサ９による半波整流回路となっている。
【００２１】
電源装置１の出力端子１ｄがアースに接続され、さらに前記整流回路３の整流ダイオード８のカソードが電源装置１の出力１ｃに接続されていて、電源装置１の出力端子１ｃにはプラス電圧が発生することになる。
【００２２】
被帯電体７にマイナス電荷が蓄電されている状態で、スイッチ１４の開放により電源装置１の出力が発生せず電極６に電圧が発生していない場合は、被帯電体７に発生しているマイナス電圧がダイオード１０及び整流回路３の出力の両端に印加されることになる。
【００２３】
整流ダイオード８とダイオード１０の順方向電圧が同一としても、昇圧トランス２の二次コイルのインピーダンスがあるので、被帯電体７に蓄電されている電荷はダイオード１０を経由して、アースに放電されることになる。
【００２４】
よって、整流ダイオード８には電流がほとんど流れず、電源装置１の起動性の低下を防ぐ効果が得られる。
【００２５】
なお、ダイオード１０には、整流ダイオード８より順方向電圧の低いダイオードを使用することが望ましい。
【００２６】
（実施の形態２）
以下実施の形態２を用いて、本発明の特に請求項２に記載の発明について、説明する。
【００２７】
図２は、本発明の請求項２における、ＬＢＰなど電子写真装置に用いる電源装置１の使用例である。なお、実施の形態１の構成と同様の構成を有するものについては、同一符号を付しその説明を省略する。
【００２８】
図２において、実施の形態１と相違する点は、整流回路３とダイオード１０が数ボルト〜数十ボルトのツェナーダイオード５で接続されている点である。
【００２９】
この構成により、被帯電体７にマイナス電荷が蓄電されている状態で、スイッチ１４の開放により電源装置１の出力が発生せず電極６に電圧が発生していない場合において、被帯電体７に発生しているマイナス電圧がダイオード１０及び、ツェナーダイオード５と整流回路３の出力の両端に印加されることになる。ツェナーダイオード５のツェナー電圧が、ダイオード１０の順方向電流以上の電圧であれば、被帯電体７に蓄電されているマイナス電荷は、ダイオード１０及び整流ダイオード８の特性にかかわらず、ダイオード１０により放電されることになる。よって、整流ダイオード８には電流がほとんど流れず、電源装置１の起動性の低下を防ぐ効果が得られる。また、ツェナーダイオード５は、被帯電体７に蓄電されているマイナス電荷が数百ボルトであっても、数ボルト〜数十ボルトの低い電圧でも同様の効果が得られる。
【００３０】
（実施の形態３）
以下実施の形態３を用いて、本発明の特に請求項３に記載の発明について、説明する。
【００３１】
図３は、本発明の請求項３における、ＬＢＰなど電子写真装置に用いる電源装置の使用例である。なお、実施の形態１の構成と同様の構成を有するものについては、同一符号を付しその説明を省略する。
【００３２】
図３において、実施の形態１と相違する点は、整流回路３がコンデンサ９、ダイオード８による半波整流から、コンデンサ１２、ダイオード１３が追加された倍圧整流方式である点である。
【００３３】
この構成により、被帯電体７にマイナス電荷が蓄電されている状態で、スイッチ１４の開放により電源装置１の出力が発生せず電極６に電圧が発生していない場合において、被帯電体７に発生しているマイナス電圧がダイオード１０及び、整流回路３の出力の両端に印加されることになる。整流回路３が倍圧整流の場合、整流ダイオード８と整流ダイオード１３が直列に接続されていて、これらのダイオードに電流を流すには、２倍の順方向電圧が必要になる。よって、被帯電体に蓄電されているマイナス電荷は、順方向電圧が低いダイオード１０より放電されることになる。よって、整流ダイオード８、整流ダイオード１３には電流がほとんど流れず、電源装置１の起動性の低下を防ぐ効果が得られる。なお、整流回路３は、３倍圧や、４倍圧の多倍圧にするほど、高い効果が得られる。
【産業上の利用可能性】
【００３４】
本発明にかかる電源装置は、整流回路の出力電圧と逆極性の電荷を有する負荷が接続されても、電源装置の起動性の低下を防げる効果を有し、ＬＢＰや複写機に用いられる電源装置に有用である。
【図面の簡単な説明】
【００３５】
【図１】本発明の実施の形態１における電源装置の構成を示す構成図
【図２】本発明の実施の形態２における電源装置の構成を示す構成図
【図３】本発明の実施の形態３における電源装置の構成を示す構成図
【図４】従来の電源装置の構成を示す構成図
【符号の説明】
【００３６】
１  電源装置
２  昇圧トランス
３  整流回路
４  自励発振回路
５  ツェナーダイオード
１０  ダイオード
【図１】
2005184881.tif 000003
【図２】
2005184881.tif 000004
【図３】
2005184881.tif 000005
【図４】
2005184881.tif 000006